(57)【要約】      （修正有）【課題】洗濯後のアイロンが不要になり、かつ、常時かさ張らずにポケットでの携帯が可能なハンカチを提供する。【解決手段】ハンカチ自体の大きさをコンパクト（一辺１２ｃｍ±３ｃｍ程度）にすることで、防シワ加工の性能を最大限に生かし、アイロンを不要とするだけでなく、かさ張りを抑えることで、ハンカチの常時携帯を促すものである。折り畳みを前提としないコンパクトなサイズとするために、素材性能を生かした多重構造とし、表面及び裏面には吸水性・速乾性・防シワ性に優れた素材３を使用し、内部素材６には吸水材を含む抗菌性に優れた素材を使用した製品とする。折り畳みを前提としないため、ブランドのロゴが一面で表示されブランドの訴求力が高まるほか、形状についても例えばハート型のハンカチが可能となるなど多様な製品の開発が可能となる。【選択図】図３
2019035181.tif 000002
【特許請求の範囲】
【請求項１】
大きさを一辺１２ｃｍ±３ｃｍ程度のほぼ正方形、表面及び裏面を吸水性・速乾性及び防シワ性を有する素材とし、内部については吸水材を含む抗菌性素材とする多重構造とすることで、アイロンの必要がなく、ポケットでかさ張らずに保持できるハンカチ。
【請求項２】
大きさ、構造及び生地素材の組合せにより、折り畳みが不要となり、厚みが軽減されることで、ポケットが膨らむことなくスマートに携帯することが可能となるハンカチ。
【請求項３】
これまで四つ折りされることでブランドのロゴマークが不分明なハンカチが多かったが、本発明は常にブランドのロゴマークが全面表示されることでブランドの遡及効果が高くなるハンカチ。
【請求項４】
これまで四つ折りされることでハンカチの形状はほぼ正方形のものばかりであったが、多重構造の一枚物とすることで、例えばハート型のハンカチなど多様なデザインが可能となるハンカチ。
【発明の詳細な説明】
【技術分野】
【０００１】  本発明は、ハンカチ自体の大きさ、構造及び素材の組合せによりアイロンが不要で携帯性に優れたハンカチに関するものである。
【背景技術】
【０００２】  従来のハンカチは、広げた時の一辺の大きさが２５ｃｍ〜５０ｃｍ程度のものを四つ折りにして利用する場合が多い。しかし、この大きさだと生地素材にかかわらず洗濯によりシワが生じるためアイロンの使用が不可欠となっていた。また、四つ折りとなることでハンカチに厚みが生じ、スーツのポケット等が膨らみ、これがハンカチ不携帯の要因の一つとなっていた。【０００３】  これまで、芯部を長繊維、鞘部をセルロース系短繊維とすることで防シワ性を有するもの、あるいは芯部を合成繊維の短繊維、鞘部をセルロース系短繊維とすることで一定の形状安定を求めたものは存在した。【０００４】  また、ベトツキを早期に緩和するため表裏を２枚の生地で構成し、表面側には吸水性の優れた生地を配し、裏面側には吸水性と放湿機能を備えた生地を配したもの、あるいは、同じく２枚の生地のうち表面側には水分を吸収しやすい素材を配し、裏面側には水分を通しにくい素材を配したものは存在した。
【先行技術文献】
【特許文献】
【０００５】
【特許文献１】特開２０１３−１７７７０８号公報
【０００６】
【特許文献２】特開２０１５−５９２８１号公報
【０００７】
【特許文献３】特開２００７−１００２６５号公報
【０００８】
【特許文献４】特開平１０−２１２６０５号公報
【発明の概要】
【発明が解決しようとする課題】
【０００９】  上記のいずれのケースも洗濯後のアイロンを不要とすること及びポケット内でのかさ張りの問題を解決するには至っていない。【００１０】  本発明は、いかにすれば洗濯後のアイロンが不要になり、かつ、常時かさ張らずにポケットでの携帯が可能になるかといった問題を解決しようとするものである。
【課題を解決するための手段】
【００１１】  本発明は、上記目的を達成するために、ハンカチ本体の大きさをコンパクトに設定し、次に構造を規定し、最後に使用する素材を明示するものである。【００１２】  まず、ハンカチ自体の大きさ（広げた時の大きさ）は、標準的なポケットの大きさである一辺１２ｃｍ±３ｃｍ程度の大きさとする。ハンカチ自体を当該大きさとする作用は、これまでの素材の変更改変だけでは防げなかった洗濯後のシワについて、当該大きさとすることで最大限防止するものである。【００１３】  当該ハンカチは広げた状態での利用及び携帯を前提としており、折り畳むことは考えていない。【００１４】  次に構造については、多重構造とし、主として表面・内部・裏面の３つの素材で構成されるものとする。当該多重構造については、表面・内部・裏面がほぼ密着した状態で縫製されるものであり、その作用はハンカチ本体のかさ張りを防ぐとともに内部での水分吸収及び表面・裏面での速乾性を高めるものである。なお、表面と裏面は同じ素材で作製されるものである。【００１５】  素材については、表面・裏面は吸水性・速乾性・防シワ性に優れた素材を採用する。内部については、吸水材を含む抗菌性に優れた素材を用いるものとする。これらの作用は折り畳みを前提としないハンカチであるため、表面・裏面が速乾し、即座にポケット等に収納可能なものとするものである。
【発明の効果】
【００１６】  家族構成の変化、単身者世帯の増加によりハンカチにアイロン掛けをすることが負担となる層が増えている。本発明のハンカチは、洗濯後のアイロンが不要となるため、アイロンを保有していない単身層の利用及び携帯が増えるだけでなく、これまでアイロンがけを行っていた人たちの負担も軽減され、また、四つ折りでなく多重構造の一枚物となることで、携帯性が高まるだけでなくクローゼット内での収納も簡便になるものである。【００１７】  これまでは、ポケットのかさ張りを嫌いハンカチの常時携帯をしていなかった層も多いと考えられるが、本発明のハンカチは、密着多重構造の１枚物であるためポケット内での収まりもよく、スーツ等の着こなしを重視する層でも常時携帯が可能となる。特に夏場のようにクルールビズ仕様の場合には、スラックス・パンツなどの後ろポケットでもかさ張りが気にならない厚みとなるため、有用である。
【図面の簡単な説明】
【００１８】
【図１】図１は本発明の標準的なサイズを示した説明図である。（実施例１）
【図２】図２は本発明の縫製前の素材ごとの多重構造を示した説明図である。（実施例２）
【図３】図３は本発明の縫製後の素材ごとの配置を示した説明図である。（実施例３）
【発明を実施するための形態】
【００１９】  以下、本発明の実施の形態を図１〜図３に基づいて説明する。
【実施例１】
【００２０】  図１は、本発明が折畳む事なくポケットに収まる大きさである一辺が約１２ｃｍ±３ｃｍ程度のほぼ正方形であることを示している。
【実施例２】
【００２１】  図２は、本発明の縫製前の構造を示している。表面、内部、裏面の多重構造となっている。
【実施例３】
【００２２】  図面３は、本発明の縫製後の使用素材とその配置を示している。表面及び裏面は吸水性及び速乾性に優れる同一素材を使用し、内部は吸水材を含み抗菌性に優れた素材を図面のように配置している。
【符号の説明】
【００２３】１    １２ｃｍ±３ｃｍ程度
２    １２ｃｍ±３ｃｍ程度
３    吸水性・速乾性及び防シワ性に優れた素材（表面及び裏面）
４    吸水材を含み抗菌性に優れた素材（内部）
５    縫製後の表面及び裏面の配置
６    縫製後の内部の配置
【図１】
2019035181.tif 000003
【図２】
2019035181.tif 000004
【図３】
2019035181.tif 000005